(57)【要約】【課題】シンプルな構造でありながら、瓶の頭部への汚れの付着および輸送時の振動による瓶の飛び出しを確実に防ぐことができる瓶用コンテナケースの上部カバーを提供する。【解決手段】本発明に係る上部カバー１０は、瓶用コンテナケースの上部開口に嵌め込んで使用されるものであって、上部開口に沿った形状を有する下板部１１と、２つの外側縦板部１２と、２つの上板部と、２つの内側縦板部とを備える。下板部１１は、瓶の頭部が挿入される複数の挿入口１５と、係合口１６ａ，１６ｂとを有し、内側縦板部１４のそれぞれは、係合口１６ａ，１６ｂに差し込まれた係合凸部１７ａ，１７ｂと、引掛部１８ａ，１８ｂとを有する。また、引掛部１８ａ，１８ｂの先端間の距離は、下板部１１のＸ方向寸法よりも長い。【選択図】図２
2020117237.tif 000002
【特許請求の範囲】
【請求項１】
複数本の瓶を直立状態で収容可能な瓶用コンテナケースの上部開口に嵌め込んで使用される上部カバーであって、
前記上部開口に沿った形状を有し、かつ相対向する２つの第１外側縦板接続辺を有する下板部と、
相対向する外側下板接続辺および外側上板接続辺を有する２つの外側縦板部と、
相対向する第２外側縦板接続辺および内側縦板接続辺を有する２つの上板部と、
相対向する内側上板接続辺および内側下板接続辺と、相対向する２つの側辺とを有する２つの内側縦板部と、
を備え、
前記下板部と前記外側縦板部とが直角をなすように、２つの前記第１外側縦板接続辺のそれぞれに１つの前記外側縦板部の前記外側下板接続辺が接続され、
前記外側縦板部と前記上板部とが直角をなすように、２つの前記外側上板接続辺のそれぞれに１つの前記上板部の前記第２外側縦板接続辺が接続され、
前記上板部と前記内側縦板部とが直角をなすように、２つの前記内側縦板接続辺のそれぞれに１つの前記内側縦板部の前記内側上板接続辺が接続され、
前記下板部は、前記瓶の頭部が挿入される複数の挿入口と、少なくとも１つの係合口とを有し、
前記内側縦板部のそれぞれは、前記内側下板接続辺から突出して前記係合口に差し込まれた係合凸部と、２つの前記側辺のそれぞれから突出した引掛部とを有し、
前記引掛部の先端間の距離は、前記下板部の前記第１外側縦板接続辺よりも長い
ことを特徴とする上部カバー。
【請求項２】
前記外側下板接続辺および前記外側上板接続辺の間の距離は、前記内側上板接続辺および前記内側下板接続辺の間の距離に等しい
ことを特徴とする請求項１に記載の上部カバー。
【請求項３】
２つの前記第１外側縦板接続辺の間の距離は、前記第２外側縦板接続辺および前記内側縦板接続辺の間の距離の２倍以上である
ことを特徴とする請求項２に記載の上部カバー。
【請求項４】
２つの前記第１外側縦板接続辺の間の距離は、前記第２外側縦板接続辺および前記内側縦板接続辺の間の距離の２倍に等しく、
一方の前記内側縦板部の前記係合凸部および他方の前記内側縦板部の前記係合凸部は、同一の前記係合口に差し込まれている
ことを特徴とする請求項２に記載の上部カバー。
【請求項５】
１枚の段ボール材で形成されている
ことを特徴とする請求項１〜請求項４のいずれか一項に記載の上部カバー。
【発明の詳細な説明】
【技術分野】
【０００１】
本発明は、飲料等が詰められた複数本の瓶を直立状態で収容可能な瓶用コンテナケースの上部開口に嵌め込んで使用される上部カバーに関する。
【背景技術】
【０００２】
一般に、ビール、酒、ジュース等の飲料や醤油等の調味料（以下、「飲料等」という）が詰められた瓶は、輸送時に、合成樹脂からなる瓶用コンテナケースに直立した状態で収容される。また、輸送時に商品である瓶が汚れたりコンテナケースから飛び出したりするのを防ぐために、コンテナケースの上部開口に上部カバーを嵌め込むこともある（例えば、特許文献１，２参照）。
【０００３】
特許文献１に記載の上部カバーは、直立した複数本の瓶の頭部を挿入するための挿入口が形成された下板部と、その所定間隔上方に位置する上板部とを備えている。この上部カバーによれば、上板部および下板部によって、清潔に保つべき瓶の頭部に対する上下両方向からの汚れの付着を防ぐことができる。しかしながら、この上部カバーは、コンテナケースに対しては何ら固定されておらず、輸送時の振動で瓶が上下動すると瓶と一緒に上下動するので、コンテナケースから瓶が飛び出すのを防ぐことはできない。
【０００４】
特許文献２に記載の上部カバーは、コンテナケースに設けられた手掛け用穴部に係合するフラップ部を備えている。この上部カバーによれば、フラップ部がコンテナケースの手掛け用穴部に係合するので、輸送時の振動で瓶が大きく上下動するのを防ぐことができる。しかしながら、この上部カバーは、瓶の頭部に対する下方からの汚れの付着を防ぐことはできない。
【先行技術文献】
【特許文献】
【０００５】
【特許文献１】特開平１０−２７８９４０号公報
【特許文献２】実公平５−２３４７６号公報
【発明の概要】
【発明が解決しようとする課題】
【０００６】
本発明は上記事情に鑑みてなされたものであって、その課題とするところは、シンプルな構造でありながら、瓶の頭部への汚れの付着および輸送時の振動による瓶の飛び出しの両方を確実に防ぐことができる瓶用コンテナケースの上部カバーを提供することにある。
【課題を解決するための手段】
【０００７】
上記課題を解決するために、本発明に係る瓶用コンテナケースの上部カバーは、複数本の瓶を直立状態で収容可能な瓶用コンテナケースの上部開口に嵌め込んで使用されるものであって、上部開口に沿った形状を有し、かつ相対向する２つの第１外側縦板接続辺を有する下板部と、相対向する外側下板接続辺および外側上板接続辺を有する２つの外側縦板部と、相対向する第２外側縦板接続辺および内側縦板接続辺を有する２つの上板部と、相対向する内側上板接続辺および内側下板接続辺と、相対向する２つの側辺とを有する２つの内側縦板部とを備え、下板部と外側縦板部とが直角をなすように、２つの第１外側縦板接続辺のそれぞれに１つの外側縦板部の外側下板接続辺が接続され、外側縦板部と上板部とが直角をなすように、２つの外側上板接続辺のそれぞれに１つの上板部の第２外側縦板接続辺が接続され、上板部と内側縦板部とが直角をなすように、２つの内側縦板接続辺のそれぞれに１つの内側縦板部の内側上板接続辺が接続され、下板部は、瓶の頭部が挿入される複数の挿入口と、少なくとも１つの係合口とを有し、内側縦板部のそれぞれは、内側下板接続辺から突出して係合口に差し込まれた係合凸部と、２つの側辺のそれぞれから突出した引掛部とを有し、引掛部の先端間の距離は、下板部の第１外側縦板接続辺よりも長い、との構成を有している。
【０００８】
上記上部カバーは、外側下板接続辺および外側上板接続辺の間の距離が、内側上板接続辺および内側下板接続辺の間の距離に等しい、との構成を有していてもよい。
【０００９】
また、上記上部カバーは、２つの第１外側縦板接続辺の間の距離が、第２外側縦板接続辺および内側縦板接続辺の間の距離の２倍以上である、との構成を有していてもよい。
【００１０】
また、上記上部カバーは、２つの第１外側縦板接続辺の間の距離が、第２外側縦板接続辺および内側縦板接続辺の間の距離の２倍に等しく、一方の内側縦板部の係合凸部および他方の内側縦板部の係合凸部が、同一の係合口に差し込まれている、との構成を有していてもよい。
【００１１】
また、上記上部カバーは、１枚の段ボール材で形成されていることが好ましい。
【発明の効果】
【００１２】
本発明によれば、シンプルな構造でありながら、瓶の頭部への汚れの付着および輸送時の振動による瓶の飛び出しの両方を確実に防ぐことができる瓶用コンテナケースの上部カバーを提供することができる。
【図面の簡単な説明】
【００１３】
【図１】本発明の第１実施例に係る上部カバーを上方から見た斜視図である。
【図２】本発明の第１実施例に係る上部カバーを下方から見た斜視図である。
【図３】本発明の第１実施例に係る上部カバーの展開図である。
【図４】図１に示した上部カバーの線Ａ−Ａ（図３参照）における端面図である。
【図５】図１に示した上部カバーの線Ｂ−Ｂ（図３参照）における端面図である。
【図６】本発明の第２実施例に係る上部カバーを上方から見た斜視図である。
【図７】本発明の第２実施例に係る上部カバーを下方から見た斜視図である。
【図８】本発明の第２実施例に係る上部カバーの展開図である。
【図９】図６に示した上部カバーの線Ｃ−Ｃ（図８参照）における端面図である。
【図１０】図６に示した上部カバーの線Ｄ−Ｄ（図８参照）における端面図である。
【発明を実施するための形態】
【００１４】
以下、添付図面を参照しながら、本発明の実施例に係る瓶用コンテナケースの上部カバーについて説明する。
【００１５】
［第１実施例］
図１〜図５に示すように、本発明の第１実施例に係る上部カバー１０は、６本の瓶を直立状態で収容可能な瓶用コンテナケースの上部開口に嵌め込んで使用されるものであって、下板部１１と、２つの外側縦板部１２と、２つの上板部１３と、２つの内側縦板部１４とを備えている。特に図３から理解されるように、上部カバー１０は、特定の形状に打ち抜かれた１枚の段ボール材から形成されている。
【００１６】
下板部１１は、コンテナケースの上部開口に沿った形状、すなわち四隅が丸まった長方形状を有している。また、下板部１１は、Ｘ方向に延びた相対向する２つの第１外側縦板接続辺１１ａと、６つの挿入口１５と、２つの係合口１６ａ，１６ｂとを有している。
【００１７】
６つの挿入口１５は、上部カバー１０をコンテナケースの上部開口に嵌め込んだときに、当該コンテナケースに直立状態で収容された６本の瓶の頭部が挿入されるように配置されている。また、係合口１６ａ，１６ｂは、下板部１１のＹ方向対称線上に離間して配置されている。
【００１８】
２つの外側縦板部１２のそれぞれは、長方形状を有している。また、２つの外側縦板部１２のそれぞれは、相対向する外側下板接続辺１２ａおよび外側上板接続辺１２ｂを有し、このうち外側下板接続辺１２ａは、下板部１１の第１外側縦板接続辺１１ａに接続されている。言い換えると、下板部１１および外側縦板部１２は、第１外側縦板接続辺１１ａおよび外側下板接続辺１２ａにおいて接している。下板部１１および外側縦板部１２の境界には、折り曲げを容易にするための切り込みが入れられている。
【００１９】
２つの上板部１３のそれぞれは、二隅が丸まった長方形状を有している。また、２つの上板部１３のそれぞれは、相対向する第２外側縦板接続辺１３ａおよび内側縦板接続辺１３ｂを有し、このうち第２外側縦板接続辺１３ａは、外側縦板部１２の外側上板接続辺１２ｂに接続されている。言い換えると、外側縦板部１２および上板部１３は、外側上板接続辺１２ｂおよび第２外側縦板接続辺１３ａにおいて接している。外側縦板部１２および上板部１３の境界には、折り曲げを容易にするための切り込みが入れられている。
【００２０】
２つの内側縦板部１４のそれぞれは、相対向する内側上板接続辺１４ａおよび内側下板接続辺１４ｂと、相対向する２つの側辺１４ｃとを有し、このうち内側上板接続辺１４ａは、上板部１３の内側縦板接続辺１３ｂに接続されている。言い換えると、上板部１３および内側縦板部１４は、内側縦板接続辺１３ｂおよび内側上板接続辺１４ａにおいて接している。上板部１３および内側縦板部１４の境界には、折り曲げを容易にするための切り込みが入れられている。
【００２１】
２つの内側縦板部１４のそれぞれは、さらに、内側下板接続辺１４ｂから突出した２つの係合凸部１７ａ，１７ｂと、２つの側辺１４ｃのうちの一方から突出した引掛部１８ａと、２つの側辺１４ｃのうちの他方から突出した引掛部１８ｂとを有している。係合口１６ａ，１６ｂと同様、係合凸部１７ａ，１７ｂは、Ｘ方向に離間して配置されている。また、２つの引掛部１８ａ，１８ｂの先端間の距離Ｌ１８Ｘは、下板部１１のＸ方向寸法Ｌ１１Ｘよりも長い。なお、隅の丸まりを無視すると、下板部１１のＸ方向寸法Ｌ１１Ｘは、第１外側縦板接続辺１１ａ、第２外側縦板接続辺１３ａおよび内側縦板接続辺１３ｂの長さに等しい。
【００２２】
本実施例では、外側縦板部１２のＹ方向寸法Ｌ１２Ｙは、係合凸部１７ａ，１７ｂを除いた内側縦板部１４のＹ方向寸法Ｌ１４Ｙに等しい。また、本実施例では、下板部１１のＹ方向寸法Ｌ１１Ｙは、上板部１３のＹ方向寸法Ｌ１３Ｙの２倍に等しい。
【００２３】
上部カバー１０は、下板部１１および外側縦板部１２の境界に形成された切り込みに沿ってこれらを９０°折り曲げる工程と、外側縦板部１２および上板部１３の境界に形成された切り込みに沿ってこれらを９０°折り曲げる工程と、上板部１３および内側縦板部１４の境界に形成された切り込みに沿ってこれらを９０°折り曲げる工程と、２つの係合凸部１７ａを一緒に係合口１６ａに係合させる工程と、２つの係合凸部１７ｂを一緒に係合口１６ｂに係合させる工程とによって組み立てられる（特に、図４および図５参照）。
【００２４】
本実施例に係る瓶用コンテナケースの上部カバー１０によれば、下板部１１および２つの上板部１３によって、清潔に保つべき瓶の頭部に対する上下両方向からの汚れの付着が防がれる。また、この上部カバー１０によれば、コンテナケースに設けられた手掛け用穴部に引掛部１８ａ，１８ｂを係合させることができるので、コンテナケースからの脱落が防がれるとともに、輸送時の振動による瓶の大きな上下動が防がれる。さらに、この上部カバー１０は、構造がシンプルで組み立てが容易である。
【００２５】
［第２実施例］
図６〜図１０に示すように、本発明の第２実施例に係る上部カバー２０は、第１実施例に係る上部カバー１０と同様、６本の瓶を直立状態で収容可能な瓶用コンテナケースの上部開口に嵌め込んで使用されるものであって、下板部２１と、２つの外側縦板部２２と、２つの上板部２３と、２つの内側縦板部２４とを備えている。特に図８から理解されるように、上部カバー２０は、特定の形状に打ち抜かれた１枚の段ボール材から形成されている。
【００２６】
下板部２１は、コンテナケースの上部開口に沿った形状、すなわち四隅が丸まった長方形状を有している。また、下板部２１は、Ｙ方向に延びた相対向する２つの第１外側縦板接続辺２１ａと、６つの挿入口２５と、２つの係合口２６ａ，２６ｂとを有している。
【００２７】
６つの挿入口２５は、上部カバー２０をコンテナケースの上部開口に嵌め込んだときに、当該コンテナケースに直立状態で収容された６本の瓶の頭部が挿入されるように配置されている。また、係合口２６ａ，２６ｂは、下板部２１のＹ方向対称線上に離間して配置されている。
【００２８】
２つの外側縦板部２２のそれぞれは、長方形状を有している。また、２つの外側縦板部２２のそれぞれは、相対向する外側下板接続辺２２ａおよび外側上板接続辺２２ｂを有し、このうち外側下板接続辺２２ａは、下板部２１の第１外側縦板接続辺２１ａに接続されている。言い換えると、下板部２１および外側縦板部２２は、第１外側縦板接続辺２１ａおよび外側下板接続辺２２ａにおいて接している。下板部２１および外側縦板部２２の境界には、折り曲げを容易にするための切り込みが入れられている。
【００２９】
２つの上板部２３のそれぞれは、二隅が丸まった長方形状を有している。また、２つの上板部２３のそれぞれは、相対向する第２外側縦板接続辺２３ａおよび内側縦板接続辺２３ｂを有し、このうち第２外側縦板接続辺２３ａは、外側縦板部２２の外側上板接続辺２２ｂに接続されている。言い換えると、外側縦板部２２および上板部２３は、外側上板接続辺２２ｂおよび第２外側縦板接続辺２３ａにおいて接している。外側縦板部２２および上板部２３の境界には、折り曲げを容易にするための切り込みが入れられている。
【００３０】
２つの内側縦板部２４のそれぞれは、相対向する内側上板接続辺２４ａおよび内側下板接続辺２４ｂと、相対向する２つの側辺２４ｃとを有し、このうち内側上板接続辺２４ａは、上板部２３の内側縦板接続辺２３ｂに接続されている。言い換えると、上板部２３および内側縦板部２４は、内側縦板接続辺２３ｂおよび内側上板接続辺２４ａにおいて接している。上板部２３および内側縦板部２４の境界には、折り曲げを容易にするための切り込みが入れられている。
【００３１】
２つの内側縦板部２４のそれぞれは、さらに、内側下板接続辺２４ｂから突出した係合凸部２７と、２つの側辺２４ｃのうちの一方から突出した引掛部２８ａと、２つの側辺２４ｃのうちの他方から突出した引掛部２８ｂとを有している。係合凸部２７は、下板部２１のＹ方向対称線の延長線上に配置されている。また、２つの引掛部２８ａ，２８ｂの先端間の距離Ｌ２８Ｙは、下板部２１のＹ方向寸法Ｌ２１Ｙよりも長い。なお、隅の丸まりを無視すると、下板部２１のＹ方向寸法Ｌ２１Ｙは、第１外側縦板接続辺２１ａ、第２外側縦板接続辺２３ａおよび内側縦板接続辺２３ｂの長さに等しい。
【００３２】
本実施例では、外側縦板部２２のＸ方向寸法Ｌ２２Ｘは、係合凸部２７を除いた内側縦板部２４のＸ方向寸法Ｌ２４Ｘに等しい。また、本実施例では、下板部２１のＸ方向寸法Ｌ２１Ｘは、上板部２３のＸ方向寸法Ｌ２３Ｘの２倍よりも大きい。
【００３３】
上部カバー２０は、下板部２１および外側縦板部２２の境界に形成された切り込みに沿ってこれらを９０°折り曲げる工程と、外側縦板部２２および上板部２３の境界に形成された切り込みに沿ってこれらを９０°折り曲げる工程と、上板部２３および内側縦板部２４の境界に形成された切り込みに沿ってこれらを９０°折り曲げる工程と、一方の係合凸部２７を係合口２６ａに係合させる工程と、他方の係合凸部２７を係合口２６ｂに係合させる工程とによって組み立てられる（特に、図９および図１０参照）。
【００３４】
本実施例に係る瓶用コンテナケースの上部カバー２０によれば、下板部２１および２つの上板部２３によって、６本中４本の瓶の頭部に対する上下両方向からの汚れの付着が防がれる。また、この上部カバー２０によれば、コンテナケースに設けられた手掛け用穴部に引掛部２８ａ，２８ｂを係合させることができるので、コンテナケースからの脱落が防がれるとともに、輸送時の振動による瓶の大きな上下動が防がれる。さらに、この上部カバー２０は、構造がシンプルで組み立てが容易である。
【００３５】
［変形例］
以上、本発明の第１実施例および第２実施例に係る上部カバーについて説明してきたが、本発明の構成はこれらに限定されるものではない。
【００３６】
例えば、挿入口の数は、コンテナケースに収容される瓶の本数に応じて変更することができる。
【００３７】
また、第１実施例において上板部のそれぞれが有する係合凸部の数は、１つでもよいし、３つ以上でもよい。同様に、第２実施例において上板部のそれぞれが有する係合凸部の数は、２つ以上でもよい。
【００３８】
また、各部の境界に形成した切り込みは、Ｖカット等の折り曲げを容易化する他の手段であってもよいし、省略してもよい。
【００３９】
また、本発明に係る上部カバーは、ある程度の剛性を有し、加工性に優れ、軽量で、かつ安価な他の材料からなっていてもよい。
【符号の説明】
【００４０】
１０    上部カバー
１１    下板部
１１ａ    第１外側縦板接続辺
１２    外側縦板部
１２ａ    外側下板接続辺
１２ｂ    外側上板接続辺
１３    上板部
１３ａ    第２外側縦板接続辺
１３ｂ    内側縦板接続辺
１４    内側縦板部
１４ａ    内側上板接続辺
１４ｂ    内側下板接続辺
１４ｃ    側辺
１５    挿入口
１６ａ，１６ｂ    係合口
１７ａ，１７ｂ    係合凸部
１８ａ，１８ｂ    引掛部
２０    上部カバー
２１    下板部
２１ａ    第１外側縦板接続辺
２２    外側縦板部
２２ａ    外側下板接続辺
２２ｂ    外側上板接続辺
２３    上板部
２３ａ    第２外側縦板接続辺
２３ｂ    内側縦板接続辺
２４    内側縦板部
２４ａ    内側上板接続辺
２４ｂ    内側下板接続辺
２４ｃ    側辺
２５    挿入口
２６ａ，２６ｂ    係合口
２７    係合凸部
２８ａ，２８ｂ    引掛部
【図１】
2020117237.tif 000003
【図２】
2020117237.tif 000004
【図３】
2020117237.tif 000005
【図４】
2020117237.tif 000006
【図５】
2020117237.tif 000007
【図６】
2020117237.tif 000008
【図７】
2020117237.tif 000009
【図８】
2020117237.tif 000010
【図９】
2020117237.tif 000011
【図１０】
2020117237.tif 000012